【手続補正書】
【提出日】平成26年9月2日(2014.9.2)
【手続補正１】
【補正対象書類名】明細書
【補正対象項目名】０００５
【補正方法】変更
【補正の内容】
【０００５】
上述した目的を達成するために、本発明は、複数のＬＥＤ素子が実装された基板とこの基板を支持する支持部材とを有する照明部と、前記支持部材を支持し冷却する冷却部とを備えたＬＥＤ照明装置であって、前記支持部材は、その厚さ方向の一方の面が前記基板が取着される取り付け面とされ、厚さ方向の他方の面が背面とされる取り付け板部を有し、前記冷却部は、冷却筒と、前記冷却筒の内部空間に封入された冷却用作動液とを備え、前記冷却筒は、軸方向の一端が閉塞されると共に軸方向の他端が開放された円筒体と、前記円筒体の前記開放された他端に取着された中空の中間接続部材とを含んで構成され、前記中間接続部材の前記円筒体の前記他端に取着される箇所と反対側の端部に、前記中間接続部材の内部に前記背面を向けて前記取り付け板部が取着されることで、前記中間接続部材の前記反対側の端部が閉塞され、前記中間接続部材の前記反対側の端部の内側に位置する前記背面の箇所の面積は、前記円筒体をその軸方向と直交する平面で切断した前記円筒体の内側空間の断面積よりも大きく、前記内部空間は、前記円筒体の内部に形成され均一断面で直線状に延在する円柱空間部と、前記中間接続部材の内部に形成され前記円柱状空間部に接続し前記背面に近づくにつれて前記背面と平行する平面で切断した断面積が次第に増加する第１の空間部とで構成され、前記取り付け板部は、前記第１の空間部内に位置する前記背面の全域に前記取り付け面側に窪み互いに切り離されてハニカム状に形成された複数の凹部と、前記複数の凹部の底面と前記取り付け面との間に位置する底壁と、隣り合う凹部間に位置し前記取り付け面と前記背面とにわたって延在し前記複数の凹部を仕切る仕切り壁とを有し、前記仕切り壁は、前記第１の空間部内で前記背面の中央に位置する部分と外周に位置する部分とが繋がっており、前記仕切り壁の前記凹部の底面からの高さは、前記底壁の厚さよりも大きく、前記取り付け板部に作用する前記冷却用作動液の飽和蒸気圧に対して、また、前記冷却用作動液の前記内部空間への注入時における真空状態あるいは真空に近い減圧状態に対して前記取り付け板部の変形を阻止する剛性を前記取り付け板部に付与するに足る寸法で形成され、前記複数のＬＥＤ素子は、前記取り付け板部の厚さ方向から見て、前記各ＬＥＤ素子が前記凹部の輪郭の内側に収まるように配置されていることを特徴とする。
【手続補正２】
【補正対象書類名】明細書
【補正対象項目名】００１０
【補正方法】変更
【補正の内容】
【００１０】
本実施の形態では、内部空間Ｓ内に位置する取り付け板部１６Ａの背面１６０４の全域に、取り付け面１６０２側に窪み互いに切り離された多数の凹部１６１０がハニカム状に形成されている。言い換えると、多数の凹部１６１０が互いに近接した状態で形成されている。
本実施の形態では、凹部１６１０は断面が円形である。
したがって、図５に示すように、取り付け板部１６Ａは、多数の凹部１６１０の底面１６１０Ａと取り付け面１６０２との間に位置する壁部１６２０と、取り付け面１６０２と背面１６０４とにわたって延在し隣り合う凹部１６１０間に位置する壁部１６２２とを有している。本実施の形態では、壁部１６２０が特許請求の範囲の底壁に相当し、壁部１６２２が仕切り壁に相当している。
凹部１６１０は、底面１６１０Ａと、底面１６１０Ａの周囲から起立し背面１６０４に接続される側面１６１０Ｂとを有している。
さらに、本実施の形態では、底面１６１０Ａと側面１６１０Ｂとの境の箇所は凹状の湾曲面１６１０Ｃで接続されている。
また、複数のＬＥＤ素子１４は、それぞれ凹部１６１０の軸心ＣＬの延長上に位置する基板１２の箇所に、ＬＥＤ素子１４の中心が位置するように配置されている。
【手続補正３】
【補正対象書類名】明細書
【補正対象項目名】００１２
【補正方法】変更
【補正の内容】
【００１２】
冷却部２０は支持部材１６を支持するとともに、ＬＥＤ照明装置２の動作時に、ＬＥＤ素子１４から発生した熱を移動させて放散させる。したがって冷却部２０はヒートパイプ機能を有するヒートシンクを兼ねる。
冷却部２０は、冷却筒２２、放熱フィン２４、内部空間Ｓ、冷却用作動液２８を含んで構成されている。
冷却筒２２は、円筒状を呈し、その長手方向の一方の端部が開放され、この開放された端部は、取り付け板部１６Ａの背面１６０４で閉塞されている。
冷却筒２２の長手方向の他方の端部には、栓状の封止部２２Ａが設けられている。
【手続補正４】
【補正対象書類名】明細書
【補正対象項目名】００１３
【補正方法】変更
【補正の内容】
【００１３】
本実施の形態では、冷却筒２２は、円筒体２５と、円筒体２５の長手方向の端部に取着され取り付け板部１６Ａを支持する中空の中間接続部材２６を含んで構成されている。
この実施の形態のＬＥＤ照明装置２のように、照明部１０の径が円筒体２５の径よりも大きい場合には、すなわち複数のＬＥＤ素子１４が配置される領域が、円筒体２５の内部空間をその長手方向と直交する面で切断した断面積よりも大きい場合には、中間接続部材２６を備えることにより、照明部１０と冷却部２０とを互いに強固に連結する上で有利となる。
放熱フィン２４は、円筒体２５を全長にわたって延在しており、円筒体２５の外周面に周方向に間隔をおいて設けられ、円筒体２５および中間接続部材２６と一体に設けられている。
中間接続部材２６は中空状で、円筒体２５の端部に取着される基部と、基部から次第に拡径する傾斜部とを有している。
したがって、内部空間Ｓは、円筒体２５の内部で区画される均一断面で直線状に延在する円柱空間部Ｓ１と、中間接続部材２６の内側に形成され円柱空間部Ｓ１の長手方向の端部に接続し円柱空間部Ｓ１から離れるに至るにつれて次第に断面積が増加する傾斜空間部Ｓ２とを有している。本実施の形態では、傾斜空間部Ｓ２が特許請求の範囲の第１の空間部に相当している。
また、支持部材１６を支持する冷却部２０の箇所は、円柱空間部Ｓ１から離れた側の傾斜空間部Ｓ２を形成する中間接続部材２６の端部となり、背面１６０４で閉塞される冷却筒２２の開放された端部は、円柱空間部Ｓ１から離れた側の傾斜空間部Ｓ２の端部となる。
【手続補正５】
【補正対象書類名】明細書
【補正対象項目名】００２１
【補正方法】変更
【補正の内容】
【００２１】
次に、図８を参照して本実施の形態の変形例について説明する。
なお、前記実施の形態と同様な箇所、部材には同一の符号を付して説明する。
前記実施の形態では、円筒体２５の長手方向を鉛直方向に向けた状態で、取り付け板部１６Ａの背面１６０４が鉛直上方に向けられ、取り付け面１６０２およびＬＥＤ素子１４が鉛直下方に向けられていたのに対し、この変形例では、円筒体２５の長手方向を鉛直方向に向けた状態で、背面１６０４および取り付け面１６０２ならびにＬＥＤ素子１４が鉛直方向に対して斜めに向けられる点が異なっている。
この変形例でも照明部１０は、基板１２、ＬＥＤ素子１４、支持部材１６を含んで構成され、冷却部２０は、円筒体２５、放熱フィン２４、中間接続部材２６、内部空間Ｓ、冷却用作動液２８を含んで構成されている。
照明部１０の構成および円筒体２５と放熱フィン２４の構成は前記実施の形態と同様であり、中間接続部材２６の構成が前記実施の形態と異なっている。
【手続補正６】
【補正対象書類名】明細書
【補正対象項目名】００２２
【補正方法】変更
【補正の内容】
【００２２】
この変形例のＬＥＤ照明装置２のように、円筒体２５を鉛直方向に向けた状態で、例えば、鉛直方向と交差する方向である水平方向を照明する場合に、中間接続部材２６を用いると、照明部１０と冷却部２０とを互いに強固に連結する上で有利となる。
冷却筒２２は円筒体２５と中間接続部材２６を含んで構成され、中間接続部材２６は中空状で、円筒体２５の端部に取着される基部と、基部に接続し基部の軸心に対して軸心が直交する側部とを有し、この側部の端部に、支持部材１６が取着されている。
したがって、冷却部２０は、長さを有しその長手方向の端部(この変形例では前記側部の端部)が開放された冷却筒２２と、冷却筒２２の開放された端部が取り付け板部１６Ａの背面１６０４で閉塞されることで形成され円筒体２５の長手方向を鉛直方向に向けると鉛直方向に沿って延在する内部空間Ｓと、内部空間Ｓに封入された冷却用作動液２８とを備える。
また、内部空間Ｓは、円筒体２５の内部で区画される均一断面で直線状に延在する円柱空間部Ｓ１と、中間接続部材２６の内側に形成され円柱空間部Ｓ１の長手方向の端部に接続し軸心を円柱空間部Ｓ１に対して直交させた下部空間部Ｓ３（特許請求の範囲の第１の空間部に相当）とを有している。
冷却用作動液２８は、円筒体２５の長手方向を鉛直方向に向けた状態で、取り付け板部１６Ａの背面１６０４の全域が冷却用作動液２８中に常時浸漬される量で封入され、例えば、冷却用作動液２８は円柱空間部Ｓ１の下端まで封入される。
【手続補正７】
【補正対象書類名】特許請求の範囲
【補正対象項目名】全文
【補正方法】変更
【補正の内容】
【特許請求の範囲】
【請求項１】
複数のＬＥＤ素子が実装された基板とこの基板を支持する支持部材とを有する照明部と、前記支持部材を支持し冷却する冷却部とを備えたＬＥＤ照明装置であって、
前記支持部材は、その厚さ方向の一方の面が前記基板が取着される取り付け面とされ、厚さ方向の他方の面が背面とされる取り付け板部を有し、
前記冷却部は、冷却筒と、前記冷却筒の内部空間に封入された冷却用作動液とを備え、  前記冷却筒は、軸方向の一端が閉塞されると共に軸方向の他端が開放された円筒体と、前記円筒体の前記開放された他端に取着された中空の中間接続部材とを含んで構成され、  前記中間接続部材の前記円筒体の前記他端に取着される箇所と反対側の端部に、前記中間接続部材の内部に前記背面を向けて前記取り付け板部が取着されることで、前記中間接続部材の前記反対側の端部が閉塞され、
前記中間接続部材の前記反対側の端部の内側に位置する前記背面の箇所の面積は、前記円筒体をその軸方向と直交する平面で切断した前記円筒体の内側空間の断面積よりも大きく、
前記内部空間は、前記円筒体の内部に形成され均一断面で直線状に延在する円柱空間部と、前記中間接続部材の内部に形成され前記円柱状空間部に接続し前記背面に近づくにつれて前記背面と平行する平面で切断した断面積が次第に増加する第１の空間部とで構成され、
前記取り付け板部は、前記第１の空間部内に位置する前記背面の全域に前記取り付け面側に窪み互いに切り離されてハニカム状に形成された複数の凹部と、前記複数の凹部の底面と前記取り付け面との間に位置する底壁と、隣り合う凹部間に位置し前記取り付け面と前記背面とにわたって延在し前記複数の凹部を仕切る仕切り壁とを有し、
前記仕切り壁は、前記第１の空間部内で前記背面の中央に位置する部分と外周に位置する部分とが繋がっており、
前記仕切り壁の前記凹部の底面からの高さは、前記底壁の厚さよりも大きく、前記取り付け板部に作用する前記冷却用作動液の飽和蒸気圧に対して、また、前記冷却用作動液の前記内部空間への注入時における真空状態あるいは真空に近い減圧状態に対して前記取り付け板部の変形を阻止する剛性を前記取り付け板部に付与するに足る寸法で形成され、
前記複数のＬＥＤ素子は、前記取り付け板部の厚さ方向から見て、前記各ＬＥＤ素子が前記凹部の輪郭の内側に収まるように配置されている、
ことを特徴とするＬＥＤ照明装置。
【請求項２】
前記凹部は、前記底面と、前記底面の周囲から起立し前記背面に接続される側面とを有し、
前記底面と前記側面との境の箇所は凹状の湾曲面で接続されている、
ことを特徴とする請求項１記載のＬＥＤ照明装置。
【請求項３】
前記照明部は、前記取り付け板部の周囲に設けられたリフレクタを含んで構成され、
前記冷却部は、前記円筒体の外周面に突設された複数のフィンを含んで構成されている、
ことを特徴とする請求項１または２記載のＬＥＤ照明装置。
【請求項４】
前記円筒体の長手方向を鉛直方向に向けた状態で、前記背面は鉛直上方に向けられ、前記取り付け面および前記ＬＥＤ素子は、鉛直下方に向けられ、
平面視した状態で前記複数のフィンを含む前記冷却部の輪郭は、前記照明部の輪郭の内側に収まるように配置されている、
ことを特徴とする請求項３記載のＬＥＤ照明装置。
【請求項５】
前記円筒体の長手方向を鉛直方向に向けた状態で、前記背面および取り付け面ならびに前記ＬＥＤ素子は鉛直方向に対して斜めに向けられる、
ことを特徴とする請求項１乃至３の何れか１項記載のＬＥＤ照明装置。
【請求項６】
前記円筒体の前記軸方向の一端は、前記冷却用作動液の注入用孔を有する封止部で閉塞され、
前記円筒体への前記封止部の取り付け、前記円筒体と前記中間接続部材との取り付け、前記中間接続部材と前記取り付け板部との取り付けは、溶接によりなされ、
前記注入用孔は、前記内部空間への前記冷却用作動液の注入後、溶接により閉塞される、
ことを特徴とする請求項１乃至５の何れか１項記載のＬＥＤ照明装置。
【手続補正８】
【補正対象書類名】図面
【補正対象項目名】図３
【補正方法】変更
【補正の内容】
【図３】
2013069453.tif 000001
【手続補正９】
【補正対象書類名】図面
【補正対象項目名】図８
【補正方法】変更
【補正の内容】
【図８】
2013069453.tif 000002